(57)【要約】【課題】ダクトに沿った内側突条部の任意の位置で通路を介して帯電微粒子水やイオンを供給して、ダクトを流れる空気流が放電装置側に逆流するのを防止しながら放電装置で発生させる帯電微粒子水やイオンを吹出口から吹出される空気流に乗せて放出できる。帯電微粒子水やイオンを流す通路がダクトの外側に大きくはみ出すことがなくて全体の装置をコンパクト化できる。【解決手段】送風装置３に、上流側端部に吸込み口４を備え且つ下流側端部に吹出口５を備え且つ送風ファン６を有するダクト７を設け、該ダクト７の壁部９の一部をダクト７内に突出させて、ダクト７に沿い且つ先端がダクト７の吹出口５付近に至る内側突条部８をダクト７の壁部９と一体に形成する。内側突条部８内に先端がダクト７の吹出口５付近に開口する通路１０を設け、該通路１０に、放電装置２で発生させた帯電微粒子水又はイオンを放出する。【選択図】        図１
2011038747.tif 000002
【特許請求の範囲】
【請求項１】
静電霧化により帯電微粒子水を発生させる静電霧化装置又はイオンを発生させるイオン発生装置よりなる放電装置を備えた送風装置であって、送風装置に、上流側端部に吸込み口を備え且つ下流側端部に吹出口を備え且つ送風ファンを有するダクトを設け、該ダクトの壁部の一部をダクト内に突出させて、ダクトに沿い且つ先端がダクトの吹出口付近に至る内側突条部をダクトの壁部と一体に形成し、該内側突条部内に先端がダクトの吹出口付近に開口する通路を設け、該通路に、放電装置で発生させた帯電微粒子水又はイオンを放出して成ることを特徴とする放電装置を備えた送風装置。
【請求項２】
内側突条部内に内側突条部の先端面に開口する孔を形成して該孔が通路となっていることを特徴とする請求項１記載の放電装置を備えた送風装置。
【請求項３】
内側突条部の外面側を内側突条部に沿って凹ませて外面側凹条部を形成し、該外面側凹条部内にダクトの壁部とは別の内部が通路となった管体を配設して成ることを特徴とする請求項１記載の放電装置を備えた送風装置。
【請求項４】
内側突条部が、ダクトの空気の流れ方向と直交する断面においてコーナとなる部分を含んでいることを特徴とする請求項１乃至請求項３のいずれか一項に記載の放電装置を備えた送風装置。
【請求項５】
ダクトの吹出口、及び、吹出口付近に開口する通路先端の吐出口に対向して可動ルーバを設け、該可動ルーバの吐出口に対向する部分に可動ルーバを閉じた状態でも吐出口と連通する吐出用開口部を設けて成ることを特徴とする請求項１乃至請求項４のいずれか一項に記載の放電装置を備えた送風装置。
【発明の詳細な説明】
【技術分野】
【０００１】
本発明は、静電霧化により帯電微粒子水を発生させる静電霧化装置又はイオンを発生させるイオン発生装置よりなる放電装置を備えた送風装置に関するものである。
【背景技術】
【０００２】
従来から、静電霧化装置で発生させたナノメータサイズの帯電微粒子水を、車載用空調装置のような送風装置の吹出口から吹出される空気流に乗せて自動車などの車両の室内、あるいは建物内の室内に放出することが知られている。
【０００３】
室内に放出されたナノメータサイズの帯電微粒子水はスーパーオキサイドラジカルやヒドロキシラジカルといったラジカルが含まれており、室内の壁、シート、ダッシュボード、カーテン等に付着した臭い成分の脱臭を行うことができると共に、人や衣服に付着して室内に持ち込まれた花粉等のアレルゲン物質を抑制したり、また、肌や髪に潤いを持たせることができる。
【０００４】
ところで、静電霧化装置で発生させた帯電微粒子水を送風装置の空気流に乗せて室内に放出するには、例えば、送風装置のダクト内に静電霧化装置を配置し、ダクト内で帯電微粒子水を生成してダクト内を流れる空気流に帯電微粒子水を乗せることが考えられるが、これだと、静電霧化装置がダクト内に配置してあるため、静電霧化装置により帯電微粒子水を発生させる際、ダクト内を流れる空気の温度、湿度などの影響を受け、安定して帯電微粒子水を生成できないという問題があり、また、静電霧化装置がダクト内に内装してあるため、静電霧化装置のダクト内への組込が複雑となり、また、静電霧化装置の保守、点検がし難いという問題がある。
【０００５】
そこで、静電霧化装置をダクト外に配置し、ダクト外で発生させた帯電微粒子水を送風装置のダクト内に放出することが提案されている。ところが、送風装置の使用中、ダクト内は常に風が流れており、ダクト内は正圧になっていることが多い。そして、ダクト内が正圧状態のときはダクト内の空気が静電霧化装置側に逆流し、帯電微粒子水をダクト内に放出することができない。したがって、ダクト内の負圧となる特定の部分においてしか帯電微粒子水をダクト内に放出することができないという問題がある。
【０００６】
また、ダクトの外に配置した静電霧化装置から帯電微粒子水を流す導入管を導出し、ダクトの壁部に設けた孔から上記導入管をダクト内に導入し、導入管の先端をダクトの吹出口付近に開口させることで、圧力差により空気流が静電霧化装置側に逆流しないようにすることが特許文献１により提案されている。
【０００７】
しかし、この特許文献１は、ダクトに孔を設けて該孔から導入管を挿入し、更に、この挿入した導入管の先端をダクトの吹出口付近まで、導入する必要がある。この場合、導入管がダクト内を斜めに横切ったりして、送風装置本来の送風機能を低下させると言う問題があり、また、導入管のダクト内への導入組込み作業も面倒な作業となる。更に、ダクトに直接孔をあけて導入管を挿入するので、シールの精度が良くなければ、ダクト内を流れる空気流が孔の縁のシールが不良となった部分からもれ出すという問題があり、送風装置本来の機能低下が生じる。
【０００８】
また、他の従来例として、ダクトの外側に静電霧化装置を配置し、該静電霧化装置に接続した導入管を、ダクト内に導入管を導入することなく、ダクトの外側に位置させ、導入管の先端をダクトの吹出口付近に開口させるものが特許文献２により提案されている。
【０００９】
このものは、導入管全体がダクトの外側に存在するため、ダクトと導入管を含めた部分の大きさが大きくなり、装置全体が大きくなり、例えば、自動車のような車両に組み込む場合の大きな制約となってしまう。
【先行技術文献】
【特許文献】
【００１０】
【特許文献１】特開２００８−３７２４７号公報
【特許文献１】特開２００７−１６３１０９号公報
【発明の概要】
【発明が解決しようとする課題】
【００１１】
本発明は上記の従来例の問題点に鑑みて発明したのもであって、ダクトの空気流が流れている部分に直接孔を開けることなく、ダクトに沿った内側突条部の任意の位置で通路を介して帯電微粒子水やイオンを供給して、ダクトを流れる空気流が放電装置側に逆流するのを防止しながら放電装置で発生させる帯電微粒子水やイオンを吹出口から吹出される空気流に乗せて放出することができ、しかも、帯電微粒子水やイオンを流す通路がダクトの外側に大きくはみ出すことがなくて全体の装置をコンパクト化できる放電装置を備えた送風装置を提供するにある。
【課題を解決するための手段】
【００１２】
上記課題を解決するために、本発明は、以下のような構成になっている。
【００１３】
本発明は、静電霧化により帯電微粒子水を発生させる静電霧化装置１又はイオンを発生させるイオン発生装置よりなる放電装置２を備えた送風装置３である。本発明の特徴は、送風装置３に、上流側端部に吸込み口４を備え且つ下流側端部に吹出口５を備え且つ送風ファン６を有するダクト７を設け、該ダクト７の壁部９の一部をダクト７内に突出させて、ダクト７に沿い且つ先端がダクト７の吹出口５付近に至る内側突条部８をダクト７の壁部９と一体に形成し、該内側突条部８内に先端がダクト７の吹出口５付近に開口する通路１０を設け、該通路１０に、放電装置２で発生させた帯電微粒子水又はイオンを放出して成ることにある。
【００１４】
このような構成とすることで、放電装置２で発生させた帯電微粒子水又はイオンを、送風装置３のダクト７の壁部１０と一体に形成した内側突条部８内に設けた通路１０を通して、ダクト７の吹出口５付近で吐出し、吹出口５から吹出される空気流に乗せて帯電微粒子水又はイオンを自動車などの車両の室内、あるいは建物内の室内に放出することができる。したがって、従来例のように、ダクト７の空気流が流れている部分に直接孔を開けて導入管をダクト７内に挿入する必要がなく、ダクト７に沿った内側突条部８の任意の位置で通路１０を介して帯電微粒子水やイオンを供給することが可能となる。また、壁部９の一部をダクト７内に突出して形成した内側突条部８内に通路１０を設けてあるので、放電装置２で発生させた帯電微粒子水又はイオンを吹出口５付近まで供給する通路１０の全部又は一部がダクト７内に位置し、装置全体をコンパクト化できる。
【００１５】
また、内側突条部８内に内側突条部８の先端面に開口する孔１１を形成して該孔１１が通路１０となっていることが好ましい。
【００１６】
このように、ダクト７の壁部９の一部を、孔１１を有する内側突条部８として一体に形成することで、ダクト７自体に通路１０を形成でき、構成が簡略化し、部材点数が少なくなる。また、ダクト７の外面の内側突条部８の外面に相当する部分の任意の位置に接続孔４０をあけて、放電装置２の放出部３６を接続することで、ダクト７の長手方向の任意の位置から帯電微粒子水又はイオンを通路１０内に供給することができ、ダクト７に対する放電装置２の配置位置が限定されない。
【００１７】
また、内側突条部８の外面側を内側突条部８に沿って凹ませて外面側凹条部１２を形成し、該外面側凹条部１２内にダクト７の壁部９とは別の内部が通路１０となった管体１３を配設することが好ましい。
【００１８】
これにより、通路１０を構成する管体１３をダクト７と別体にでき、放電装置２の配置位置に応じて外面側凹条部１２の任意の位置から外面側凹条部１２の先端に至るように管体１３を配置でき、ダクト７に対する放電装置２の配置位置が限定されない。また、該別体の管体１３を内側突条部８の外面側を内側突条部８に沿って凹ませた外面側凹条部１２内に配置することで、別体の管体１３の全部又は一部がダクト７の外面から外に張り出さないようにでき、装置全体をコンパクト化できる。
【００１９】
また、内側突条部８が、ダクト７の空気の流れ方向と直交する断面においてコーナとなる部分を含んでいることが好ましい。
【００２０】
ダクト７の一側の壁部９の巾方向の略中間部分をダクト７内に一体に突出して内側突条部８を形成した場合、内側突条部８の両側面と、該内側突条部８を突設した壁部９の両側端とそれぞれ隣接する他の壁部９との間にそれぞれ隙間が生じて、ダクト７内を流れる空気流が、内側突条部８で分流されて、吹出口５部分で空気流に乱れが生じやすくなるが、内側突条部８が、ダクト７の空気の流れ方向と直交する断面においてコーナとなる部分を含んでいると、空気流が内側突条部８で分流され難く、吹出口５部分における空気流の乱れを抑制できる。
【００２１】
また、ダクト７の吹出口５、及び、吹出口５付近に開口する通路１０先端の吐出口１４に対向して可動ルーバ１５を設け、該可動ルーバ１５の吐出口１４に対向する部分に可動ルーバ１５を閉じた状態でも吐出口１４と連通する吐出用開口部１６を設けることが好ましい。
【００２２】
このような構成とすることで、可動ルーバ１５を閉じたり、閉に近い状態になっても、通路１０の先端の吐出口１４から吐出する帯電微粒子水又はイオンを吐出用開口部１６を経て自動車などの車両の室内、あるいは建物内の室内に放出することができる。
【発明の効果】
【００２３】
本発明は、上記のように構成したので、従来のように、ダクトの空気流が流れている部分に直接孔を開けて別体の導入管をダクト内に挿入する必要がなく、また、ダクトに沿った内側突条部の任意の位置で通路を介して帯電微粒子水やイオンを供給して、ダクトを流れる空気流が放電装置側に逆流するのを防止しながら帯電微粒子水やイオンを吹出口から吹出される空気流に乗せて放出することができる。しかも、帯電微粒子水やイオンを流す通路がダクトの外側に大きくはみ出すことがなくて全体の装置をコンパクト化できる。
【図面の簡単な説明】
【００２４】
【図１】本発明の一実施形態の断面図である。
【図２】同上のイオン発生装置（静電霧化装置）の配置位置が異なる例の断面図である。
【図３】同上に用いる静電霧化装置の斜視図である。
【図４】同上に用いる静電霧化装置本体の概略構成図である。
【図５】同上の内側突条部を形成したダクトの一例を示す要部斜視図である。
【図６】同上の内側突条部を形成したダクトの他例を示す要部斜視図である。
【図７】同上の内側突条部を形成したダクトの更に他例を示す要部斜視図である。
【図８】本発明の他の実施形態の断面図である。
【図９】同上のイオン発生装置（静電霧化装置）の配置位置が異なる例の断面図である。
【図１０】同上の要部分解斜視図である。
【図１１】本発明の更に他の実施形態の断面図である。
【図１２】（ａ）は本発明の送風装置に可動ルーバを設けた例を示す斜視図であり、（ｂ）は同上の吐出用開口部を形成した可動ルーバの斜視図である。
【図１３】（ａ）は可動ルーバを開にした状態で帯電微粒子水が放出されている状態を示す断面図であり、（ｂ）は可動ルーバを閉にした状態で帯電微粒子水が放出されている状態を示す断面図である。
【発明を実施するための形態】
【００２５】
以下、本発明を添付図面に示す実施形態に基づいて説明する。
【００２６】
添付図面には本発明の送風装置３として自動車のような車両に設ける空調装置３ａの例が示してあり、また、送風装置３に備える放電装置２として静電霧化装置１の例が示してある。
【００２７】
空調装置３ａは、図１、図２に示すように、上流側端部が室外の空気又は室内（自動車の車内）１１内の空気を吸い込むための吸込み口４となり、且つ、下流側端部が吸い込んで空調した空気を車両の室内１８内に吹き出すための吹出口５となったダクト７と、ダクト７内に配置された送風ファン６と空調のための熱交換器１９とを備えている。
【００２８】
空調装置３ａに設けた熱交換器１９は送風ファン６で送風された空気を冷却したり、加温したりして空調するためのものであり、実施形態では熱交換器１９として例えばエバポレータとヒーターを用いてある。
【００２９】
ダクト７の壁部９の一部をダクト７内に突出させて、ダクト７の長手方向（空気流の流れ方向）に沿い且つ先端がダクト７の吹出口５付近に至る内側突条部８をダクト７の壁部９と一体に形成してある。
【００３０】
この内側突条部８内に先端がダクト７の吹出口５付近に開口する通路１０を設けてある。
【００３１】
図１、図２に示す実施形態、図５に示す実施形態、図６に示す実施形態、図７に示す実施形態では、内側突条部８内に内側突条部８の長手方向に沿って孔１１を形成して該孔１１により通路１０を構成した例を示しており、該通路１０となる孔１１は内側突条部８の先端面に開口し、後端が閉塞されたものであり、孔１１はダクト７内の空気が流れる部分とは非連通となっている。
【００３２】
ダクト７の壁部９の一部をダクト７内に突出させて内側突条部８を形成するに当たり、内側突条部８の形状としては任意の形状のものが考えられる。
【００３３】
図５に示す実施形態では、ダクト７の一側を構成する壁部９の巾方向の略中間部分をダクト７内に突出させて内側突条部８を形成したものであり、また、図６、図７に示す実施形態では、内側突条部８が、ダクト７の空気の流れ方向と直交する断面においてコーナとなる部分を含んでいる例であり、このうち、図７に示す実施形態では、内側突条部８が、ダクト７の空気の流れ方向と直交する断面において２つのコーナとなる部分を含んでいる。
【００３４】
ここで、図５のように、ダクト７の一側の壁部９の巾方向の略中間部分をダクト７内に一体に突出して内側突条部８を形成した場合、内側突条部８の両側面と、該内側突条部８を突設した壁部９の両側端とそれぞれ隣接する他の壁部９との間にそれぞれ隙間２０が生じて、ダクト７内を流れる空気流が、内側突条部８で両側に分流されて、吹出口５部分で空気流に乱れが生じやすくなるおそれがあるが、図６、図７のように、内側突条部８が、ダクト７の空気の流れ方向と直交する断面においてコーナとなる部分を含んでいると、空気流が内側突条部８で分流され難く、吹出口５部分における空気流の乱れを抑制でき、より好ましいものとなる。もちろん、ダクト７の断面形状、内側突条部８の断面形状は上記した各例のものにのみ限定されるものではなく、種々の形状のものが採用できる。
【００３５】
静電霧化装置１は図３に示すようなもので、ダクト７の外側に配置してダクト７を構成するダクト７または他の部材に取付けられるもので、いわゆる外付けである。
【００３６】
静電霧化装置１の外郭を構成するハウジング２１内には図４に示すような静電霧化装置本体２２が内装してある。図４に示す静電霧化装置本体２２は、放電極２３と、放電極２３が配置された静電霧化室３０と、放電極２３の先端に供給する水供給手段２５と、放電極２３に供給された水に高電圧を印加して静電霧化により帯電微粒子水を生成するための高電圧印加手段２６とを備えたもので、添付図面に示す実施形態では水供給手段２５がペルチェユニット２７のような冷却手段により空気中の水分を冷却して結露水を生成することで放電極２３に水を供給するようになっている。したがって、本実施形態では冷却手段が放電極２３に水を供給する水供給手段２５を構成している。
【００３７】
また、添付図面に示す実施形態では、絶縁性を有する略筒状をした本体ケース２８の内部を仕切り２９で仕切り、本体ケース２８内の仕切りで仕切った片側半分に水供給手段２５であるペルチェユニット２７を内装し、本体ケース２８内の他の片側半分が静電霧化室３０となっている。
【００３８】
ペルチェユニット２７は、熱伝導性の高いアルミナや窒化アルミニウムからなる絶縁板の片面側に回路を形成してある一対のペルチェ回路板を、互いの回路が向き合うように対向させ、多数列設してあるＢｉＴｅ系の熱電素子を両ペルチェ回路板間で挟持すると共に隣接する熱電素子同士を両側の回路で電気的に接続させ、ペルチェ入力リード線を介してなされる熱電素子への通電により一方のペルチェ回路板側から他方のペルチェ回路板側に向けて熱が移動するように構成したものである。上記一方の側のペルチェ回路板の外側には冷却部３１を接続してあり、また、上記他方の側のペルチェ回路板の外側には放熱部３２が接続してあり、実施形態では放熱部３２として放熱フィンの例が示してある。
【００３９】
ペルチェユニット２７の冷却部３１側に放電極２３の後端部が接続してあって、該放電極２３が本体ケース２８内の仕切り２９に設けた孔を嵌通して静電霧化室３０内に突出している。
【００４０】
図４に示す実施形態では、筒状をした本体ケース２８の先端開口部に環状をした対向電極３３が設けてある。なお、対向電極３３を設けない場合であってもよい。
【００４１】
本体ケース２８の静電霧化室３０の周囲の壁部となった部分には周方向の複数個所に内外に開口する開口が設けてある。
【００４２】
ハウジング２１には静電霧化装置本体２２で発生した帯電微粒子水を放出するための放出部３６が設けてあり、添付図面に示す実施形態では放出部３６は筒状をしていて後端部が本体ケース２８の先端部（実施形態では対向電極３３の中央口３５）を介して静電霧化室３０と連通している。
【００４３】
上記静電霧化装置１は前述のように、ダクト７の外側に配置してダクト７を構成するダクト７または他の部材に取付けられるものであるが、この静電霧化装置１の配設位置に対応して、上記ダクト７に一体に形成した孔１１を有する内側突条部８の外面の長手方向の静電霧化装置１と対向する位置に接続孔４０をあけ、該接続孔４０に上記静電霧化装置１に設けた筒状の放出部３６を接続する。
【００４４】
ここで、接続孔４０はダクト７に一体に形成した孔１１を有する内側突条部８の外面に形成するので、ダクト７の外面に接続孔４０をあけても、ダクト７内の送風空気が流れる部分には孔があけられず、ダクト７の壁部９から送風空気が漏れるということがないようになっている。
【００４５】
また、接続孔４０をあける位置は、内部に孔１１を有する内側突条部８の外面の長手方向の任意の位置にあけることができ、この結果、ダクト７の外側に配設する静電霧化装置１に近い位置に接続孔４０を形成して放出部３６を接続できることになり、図１や、図２のように静電霧化装置１をダクト７の外側の長手方向に沿った任意の位置に配置することが可能となる。
【００４６】
図６に示す実施形態においては、ダクト７に一体に形成した孔１１を有する内側突条部８の外面に長手方向に沿って壁部９の他の部分の肉厚に比べて薄肉となった複数の薄肉部４１を形成してあり、この長手方向の任意の薄肉部４１に接続孔４０を形成するようにした例であり、この実施形態では薄肉部４１に接続孔４０を形成するので、長手方向の任意の位置に簡単に接続孔４０を形成して、放電装置２の放出部３６を接続することができる。
【００４７】
なお、薄肉部４１は形成すべき接続孔４０の外周に相当する部位のみを連続して、または断続的に薄肉部４１としてもよい。
【００４８】
また、図７に示す実施形態においては、ダクトに一体に形成した孔１１を有する内側突条部８の外面に長手方向に沿って複数の接続孔４０を形成し、複数の接続孔４０のうち任意の接続孔４０を選択して静電霧化装置１に設けた筒状の放出部３６を接続し、他の接続孔４０を蓋４２で閉塞した例であり、この例においても、長手方向の任意の位置の接続孔４０に放電装置２の放出部３６を接続することができる。
【００４９】
空調装置３ａを運転すると、送風ファン６が運転されて吸込み口４から室外（車外）の空気又は室内（車内）１８内の空気をダクト７内に吸い込み、熱交換器１９で設定温度に調整された空気がダクト７を流れて吹出口５から室内（車内）１８に吹き出される。
【００５０】
この空調装置３ａの運転の際に、静電霧化装置１を運転すると、ペルチェユニット２７に通電されて冷却部３１が冷却され、冷却部３１が冷却されることで放電極２３が冷却され、空気中の水分を結露して放電極２３の先端に水（結露水）を供給する。このように放電極２３に水が供給された状態で上記放電極２３の先端に供給された水に高電圧を印加することで、該高電圧により放電極２３の先端部に供給された水の液面が局所的に錐状に盛り上がり（テーラーコーン）が形成される。テーラーコーンが形成されると、該テーラーコーンの先端に電荷が集中してこの部分における電界強度が大きくなって、更にテーラーコーンを成長させる。このようにテーラーコーンが成長し該テーラーコーンの先端に電荷が集中して電荷の密度が高密度となると、テーラーコーンの先端部分の水が大きなエネルギー（高密度となった電荷の反発力）を受け、表面張力を超えて分裂・飛散（レイリー分裂）を繰り返してマイナスに帯電したナノメータサイズの帯電微粒子水が大量に生成される。
【００５１】
静電霧化装置１で生成された帯電微粒子水は、放出部３６を経てダクト７に沿って一体に形成した内側突条部８内部に設けた通路１０である孔１１内に供給され、通路１０である孔１１を経て、先端の吐出口１４から吐出される。
【００５２】
この通路１０の先端の吐出口１４はダクト７の吹出口５の近くに位置している（実施形態では内側突条部８の先端がダクト７の先端まで至っており、内側突条部８の先端の吐出口１４が、ダクト７の先端の吹出口５に隣接して開口している）ので、帯電微粒子水はダクト７内に放出されることなく、図１、図２の破線で示す矢印のようにダクト７外に放出されて吹出口５から吹出される実線で示す空気流に乗って室内（車内）１８に供給される。この場合、上記のように通路１０の先端の吐出口１４がダクト７の先端の吹出口５付近に設けてあるので、送風ファン６により強制的に空気が流れて正圧となってダクト７からダクト７内の空気が通路１０を逆流して静電霧化装置１側に逆流することがなく、帯電微粒子水が吹出口５から吹出される空気流に誘引されて吐出口１４から吐出して空気流に乗って室内（車内）１８に供給される。
【００５３】
したがって、静電霧化装置１に生成した帯電微粒子水を吐出口１４側にスムーズに供給するためのファンを設けなくても、静電霧化装置１で生成した帯電微粒子水を通路１０を経て吐出口１４から吐出して吹出口５から吹出される空気流に乗せることが可能となる。
【００５４】
もちろん、静電霧化装置１にファンを設けて、生成した帯電微粒子水を通路１０を経て吐出口１４から吐出するための流れを形成するようにしてもよく、この場合は、吹出口５から吹出される空気流による誘引力と、上記静電霧化装置１に設けたファンによる流れとの相乗で、静電霧化装置１で生成した帯電微粒子水を吐出口１４から吐出して吹出口５から吹出される空気流によりスムーズに乗せることができる。
【００５５】
室内１８に放出されたナノメータサイズの帯電微粒子水は室内１８を浮遊して室内１８の内壁、シート、ダッシュボード、カーテン、室内１８の人の衣服や毛髪等に付着する。
【００５６】
水を霧化させて発生させたナノメータサイズの帯電微粒子水（ナノミスト）はスーパーオキサイドラジカルやヒドロキシラジカルといったラジカルが含まれていているので、室内１８の内壁、シート、ダッシュボード、カーテン、室内１８の人の衣服や毛髪等に付着した臭い成分の脱臭を行うことができると共に、人や衣服に付着して室内に持ち込まれた花粉等のアレルゲン物質も抑制することができ、殺菌、除菌をしたり、また、肌や髪に潤いを持たせることができる。また、帯電微粒子水はナノメータサイズと小さいので、室内１８の隅々まで浮遊し、また繊維等の内部に侵入して内部まで脱臭、殺菌、除菌、アレルゲン物質の抑制等を図ることができる。
【００５７】
図８乃至図１０には本発明の他の実施形態が示してある。本実施形態においては、ダクト７の壁部９の一部をダクト７内に突出させて、ダクト７の長手方向（空気流の流れ方向）に沿い且つ先端がダクト７の吹出口５付近に至る内側突条部８をダクト７の壁部９と一体に形成したことにおいては、前述の実施形態と同様であるが、本実施形態では、内側突条部８の外面側を内側突条部８に沿って凹ませて外面側凹条部１２を形成し、この外面側凹条部１２内にダクト７の壁部９とは別の内部が通路１０となった管体１３を配設してある。
【００５８】
図８乃至図１０の実施形態では管体１３がホースにより構成してあり、該管体１３の後端は静電霧化装置１の筒状をした放出部３６に接続されるもので、該管体１３を先端の吐出口１４が外面側凹条部１２の先端に位置するように管体１３を外面側凹条部１２に嵌め込む。ここで、ダクト７に対する静電霧化装置１の配設位置に応じて、管体１３の長さを任意の長さに設定して外面側凹条部１２内に嵌め込み配置するものであり、これにより、静電霧化装置１をダクト７の外側の長手方向に沿った任意の位置に配置することが可能となる。
【００５９】
外面側凹条部１２内に管体１３を嵌め込み配置した状態で、内部が通路１０となった管体１３はダクト７の外面から外に突出しないか、または、突出するとしても一部が突出するだけであるから、装置全体をコンパクト化できる。
【００６０】
また、管体１３としては、上記のように後端部が静電霧化装置１の放出部３６に接続するホースにより構成したもののみに限定されず、図１１のようにダクト７とは別体の管により構成し、該管を外面側凹条部１２に内に嵌め込み配設し、この管の外面の長手方向の任意の位置に接続孔４３をあけ、該接続孔３４に静電霧化装置１の筒状の放出部３６を接続してもよい。
【００６１】
空調装置３ａ、静電霧化装置１を運転した場合の作用効果は前述の図１乃至図４に示す実施形態と同様であり、重複する説明は省略する。
【００６２】
本実施形態においては、内側突条部８の外面側を内側突条部８に沿って凹ませて外面側凹条部１２を形成するので、ダクト７の加工が簡単でダクト７の構造が簡略化する。
【００６３】
なお、上記各実施形態においては、通路１０の先端の吐出口１４とダクト７の先端の吹出口５とをダクト７の長手方向において一致させた位置としたが、通路１０の先端の吐出口１４がダクト７の先端の吹出口５よりも後方に少しずれた位置にあってもよく、また、通路１０の先端の吐出口１４がダクト７の先端の吹出口５よりも前方に少し突出した位置にあってもよい。
【００６４】
上記したいずれの実施形態においても、図１２、図１３に示すように、ダクト７の吹出口５、及び、吹出口５付近に開口する通路１０先端の吐出口１４の前方には可動ルーバ１５を設けてあり、この可動ルーバ１５は両端部の軸を中心に回動自在となっていて、可動ルーバ１５を可動して送風方向を可変できるように構成する。
【００６５】
ここで、上記可動ルーバ１５の吐出口１４に対向する部分に吐出用開口部１６が設けてあり、可動ルーバ１５を閉じた状態でも吐出口１４が吐出用開口部１６と対向して連通するように構成してある。この吐出用開口部１６は一つの可動ルーバ１５に設けてもよいが、複数の可動ルーバ１５に設けてもよい。
【００６６】
これにより、可動ルーバ１５が開いている時は、前述したように吐出口１４から吐出される帯電微粒子水が、吹出口５から吹出される空気流に乗って室内１８に放出される際、図１３（ａ）のように可動ルーバ１５で規制された向きに放出されるが、可動ルーバ１５を閉じた場合は、図１３（ｂ）のように吐出口１４から吐出する帯電微粒子水が対向する吐出用開口部１６から室内１８に放出される。
【００６７】
したがって、自動車のように吹出口５が複数箇所にあり、任意の吹出口５に対応した可動ルーバ１５を開、他の任意の吹出口５に対応した可動ルーバ１５を閉とした場合でも、閉とした側の吹出口５に隣接する吐出口１４から吐出する帯電微粒子水を吐出用開口部１６から室内１８に放出することができる。
【００６８】
また、送風装置３である空調装置３ａの運転を停止し、静電霧化装置１のみを運転した状態でも、可動ルーバ１５に邪魔されることなく、吐出口１４から吐出する帯電微粒子水を吐出用開口部１６から室内１８に放出することができる。
【００６９】
上記各実施形態では、放電装置２として静電霧化装置１の例で説明したが、放電装置２がイオン発生装置であってもよい。
【００７０】
この場合は、イオン発生装置の放電極２３に高電圧を印加することで、プラス又はマイナスのイオンが発生し、該イオンをイオン発生装置の放出部３６から通路１０を経て吐出口１４から前述の実施形態と同様に吹出口５から吹出される空気流に乗せて放出することができる。
【００７１】
また、上記各例は放電装置２である静電霧化装置１又はイオン発生装置を車両の車室に設置した例を示したが、車両に設置するものにのみ限定されず、建物の室内あるいはその他の任意の放出対象空間に設置してもよい。
【００７２】
また、上記各実施形態では送風装置３として自動車のような車両に設ける空調装置３ａの例として説明したが、送風装置３として建物における全館の空調を制御するセントラルヒーティング方式の空調装置、あるいはその他の空調装置であってもよいものである。
【００７３】
また、送風装置３としては、熱交換器１９を備えた空調装置３ａにのみ限定されず、熱交換器１９のない送風のみを行う送風装置であってもよい。
【符号の説明】
【００７４】
１  静電霧化装置
２  放電装置
３  送風装置
４  吸込み口
５  吹出口
６  送風ファン
７  ダクト
８  内側突条部
９  壁部
１０  通路
１１  孔
１２  外面側凹条部
１３  管体
１４  吐出口
１５  可動ルーバ
１６  吐出用開口部
【図１】
2011038747.tif 000003
【図２】
2011038747.tif 000004
【図３】
2011038747.tif 000005
【図４】
2011038747.tif 000006
【図５】
2011038747.tif 000007
【図６】
2011038747.tif 000008
【図７】
2011038747.tif 000009
【図８】
2011038747.tif 000010
【図９】
2011038747.tif 000011
【図１０】
2011038747.tif 000012
【図１１】
2011038747.tif 000013
【図１２】
2011038747.tif 000014
【図１３】
2011038747.tif 000015